【手続補正書】
【提出日】平成19年4月3日(2007.4.3)
【手続補正１】
【補正対象書類名】特許請求の範囲
【補正対象項目名】全文
【補正方法】変更
【補正の内容】
【特許請求の範囲】
【請求項１】
所定量の情報とその所定量の情報に対する誤り訂正符号とからなるエラー訂正ブロックによりデータを管理する論理フォーマットが採用され、且つ、情報ビット列に対して所定の変調を行うことにより生成された変調後ビット列に対応して記録トラックに凸部（ランド）と凹部（ピット）を形成する物理フォーマットが採用された再生専用の光記録媒体において、
記録トラック上の所定の複数の位置に、所定の追記パタンが形成された追記領域を有しており、
上記追記領域内に形成された上記追記パタンは、ピット−ランド−ピットの形状となっており、
上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されており、
上記ピット−ランド−ピットの追記パタンの真ん中のランドは、再生のためのレーザパワーで照射しても物質的に変化はしないが、再生のためのレーザパワーよりも大きいパワーのレーザ光を照射すると、ピットの反射特性と同等となり、
さらに、１つのエラー訂正ブロック内に設けられる上記追記領域の数は、当該追記パタン部分を復調することにより得られる情報ビット列が全て誤りであったとしても、この誤りが上記誤り訂正符号により消滅する範囲であること
を特徴とする光記録媒体。
【請求項２】
上記所定の複数の位置に設定されている追記領域には、上記ピット−ランド−ピットの追記パタンが存在するか、その部分に全てピットで構成されたパタンが存在するかによって識別されるビット値により表された識別情報が、再生のためのレーザパワーよりも大きいパワーのレーザ光を照射することにより記録されていること
を特徴とする請求項１記載の光記録媒体。
【請求項３】
上記識別情報は、媒体毎の固有情報であること
を特徴とする請求項２記載の光記録媒体。
【請求項４】
上記追記領域は、媒体制御情報が記録されているエラー訂正ブロックに設けられており、
上記媒体制御情報は、当該情報の再生を行わなければ、当該光記録媒体に記録されている他の情報を再生することができないものであること
を特徴とする請求項１記載の光記録媒体。
【請求項５】
上記誤り訂正符号は、リード・ソロモン符号であること
を特徴とする請求項１記載の光記録媒体。
【請求項６】
上記リード・ソロモン符号によって１つのエラー訂正ブロックにつきｔバイトの以下の誤り訂正が可能であるとした場合、１つのエラー訂正ブロック内の全ての追記パタンを復調することにより得られる情報ビット列のバイト数は、ｔバイト以下であること
を特徴とする請求項５記載の光記録媒体。
【請求項７】
上記所定の変調は、１−７パリティ保存変調であること
を特徴とする請求項１記載の光記録媒体。
【請求項８】
１−７パリティ保存変調前の１５５バイトのデータ単位を１フレームとし、フレーム内が２８個のＤＣ制御ブロックに分割され、フレーム内の先頭のＤＣ制御ブロックが２５ビットで構成され、その他のＤＣ制御ブロックが４５ビットで構成する上記物理フォーマットにより管理がされており、
上記誤り訂正符号は、２１６バイトの情報に対して３２バイトを付加して１６バイトの誤り訂正が可能なリード・ソロモン符号であり、
上記追記領域は、所定のＤＣ制御ブロック内の所定の位置に１つ設けられており、
上記追記領域が設けられたＤＣ制御ブロックの発生割合は、１０ブロックに１つ以下であること
を特徴とする請求項７記載の光記録媒体。
【請求項９】
上記追記領域が設けられたＤＣ制御ブロックは、１フレームに２つ以下であること
を特徴とする請求項８記載の光記録媒体。
【請求項１０】
上記フレームには、３バイトのアドレス情報が含められており、
上記追記領域は、アドレス情報の記録位置以外に設けられていること
を特徴とする請求項８記載の光記録媒体。
【請求項１１】
上記変調は、１−７パリティ保存変調をして、ＮＲＩ-ＮＲＺＩ変換する変調であること
を特徴とする請求項１記載の光記録媒体。
【請求項１２】
上記ピット−ランド−ピットの追記パタンは、３Ｔ-２Ｔ-３Ｔ又は４Ｔ-２Ｔ-２Ｔであること
を特徴とする請求項１１記載の光記録媒体。
なお、Ｔは、１つの変調後ビット列のビット長である。
【請求項１３】
上記情報ビット列には、上記３Ｔ-２Ｔ-３Ｔの追記パタンを生成するために、以下の１２ビットのビット列のうち１つが含められていること
を特徴とする請求項１２記載の光記録媒体。
９４１，Ａ４１，Ｄ４１，Ｅ４１，Ｂ４１，Ｆ４１
なお、これらは１６進数で表している。
【請求項１４】
１−７パリティ保存変調前の１５５バイトのデータ単位を１フレームとし、フレーム内が２８個のＤＣ制御ブロックに分割され、フレーム内の先頭のＤＣ制御ブロックがフレーム同期パタン２０ビットとデータ２５ビットで構成され、その他のＤＣ制御ブロックが４５ビットで構成する上記物理フォーマットにより管理がされており、
上記追記領域は、所定のＤＣ制御ブロック内の３３ビット目から４４ビット目まで記録されていること
を特徴とする請求項１３記載の光記録媒体。
【請求項１５】
上記追記領域内のピット−ランド−ピットの追記パタンのピット部分は、１−７パリティ保存変調及びＮＲＩ-ＮＲＺＩ変換後の５７,５８ビット目であること
を特徴とする請求項１４記載の光記録媒体。
【請求項１６】
上記情報ビット列には、上記４Ｔ-２Ｔ-２Ｔの追記パタンを生成するために、以下の１２ビットのビット列のうち１つが含められていること
を特徴とする請求項１５記載の光記録媒体。
９６３，Ａ６３，Ｄ６３，Ｅ６３，Ｂ６３，Ｆ６３
なお、これらは１６進数で表している。
【請求項１７】
１−７パリティ保存変調前の１５５バイトのデータ単位を１フレームとし、フレーム内が２８個のＤＣ制御ブロックに分割され、フレーム内の先頭のＤＣ制御ブロックがフレーム同期パタン２０ビットとデータ２５ビットで構成され、その他のＤＣ制御ブロックが４５ビットで構成する上記物理フォーマットにより管理がされており、
上記追記領域は、所定のＤＣ制御ブロック内の３３ビット目から４４ビット目まで記録されていること
を特徴とする請求項１３記載の光記録媒体。
【請求項１８】
上記追記領域内のピット−ランド−ピットの追記パタンのピット部分は、１−７パリティ保存変調及びＮＲＩ-ＮＲＺＩ変換後の５８,５９ビット目であること
を特徴とする請求項１７記載の光記録媒体。
【請求項１９】
上記ピット−ランド−ピットの追記パタンの真ん中のランドは、再生のためのレーザパワーで照射しても物質的に変化はしないが、再生のためのレーザパワーよりも大きいパワーのレーザ光を照射すると、溶融すること
を特徴とする請求項１記載の光記録媒体。
【請求項２０】
上記ピット−ランド−ピットの追記パタンの真ん中のランドは、アルミニウム又は銀を含む合金で形成されていること
を特徴とする請求項２０記載の光記録媒体。
【請求項２１】
所定量の情報とその所定量の情報に対する誤り訂正符号とからなるエラー訂正ブロックによりデータを管理する論理フォーマットが採用され、且つ、情報ビット列に対して所定の変調を行うことにより生成された変調後ビット列に対応して記録トラックに凸部（ランド）と凹部（ピット）を形成する物理フォーマットが採用された再生専用の光記録媒体に対して、記録トラック中に当該光記録媒体の識別情報を記録するための管理方法であって、
記録トラック上の所定の複数の位置に、所定の追記パタンが形成された追記領域を設定し、
上記追記領域内に形成された上記追記パタンを、ピット−ランド−ピットの形状とし、
上記ピット−ランド−ピットの追記パタンの前後の変調後ビット列を、当該ピット−ランド−ピットの追記パタンの部分が、全てピットで構成されたパタンに置き換わったときにも、変調後ビット列の全体が変調の規則に従うように生成し、
上記ピット−ランド−ピットの追記パタンの真ん中のランドを、再生のためのレーザパワーで照射しても物質的に変化はしないが、再生のためのレーザパワーよりも大きいパワーのレーザ光を照射すると、ピットの反射特性と同等となるような材料とし、
上記所定の複数の位置に設定されている追記領域に、上記ピット−ランド−ピットの追記パタンが存在するか、その部分に全てピットで構成されたパタンが存在するかによって識別されるビット値により表された識別情報を、再生のためのレーザパワーよりも大きいパワーのレーザ光を照射することにより記録し、
さらに、１つのエラー訂正ブロック内に設けられる上記追記領域の数を、当該追記パタン部分を復調することにより得られる情報ビット列が全て誤りであったとしても、この誤りが上記誤り訂正符号により消滅する範囲とすること
を特徴とする再生専用媒体の識別情報管理方法。
【手続補正２】
【補正対象書類名】明細書
【補正対象項目名】００２５
【補正方法】変更
【補正の内容】
【００２５】
本発明に係る光記録媒体は、所定量の情報とその所定量の情報に対する誤り訂正符号とからなるエラー訂正ブロックによりデータを管理する論理フォーマットが採用され、且つ、情報ビット列に対して所定の変調を行うことにより生成された変調後ビット列に対応して記録トラックに凸部（ランド）と凹部（ピット）を形成する物理フォーマットが採用された再生専用の光記録媒体であって、記録トラック上の所定の複数の位置に、所定の追記パタンが形成された追記領域を有しており、上記追記領域内に形成された上記追記パタンは、ピット−ランド−ピットの形状となっており、上記ピット−ランド−ピットの追記パタンの前後の変調後ビット列は、当該ピット−ランド−ピットの追記パタンの部分が、全てピットで構成されたパタンに置き換わったときにも、変調後ビット列の全体が変調の規則に従うように生成されており、上記ピット−ランド−ピットの追記パタンの真ん中のランドは、再生のためのレーザパワーで照射しても物質的に変化はしないが、再生のためのレーザパワーよりも大きいパワーのレーザ光を照射すると、ピットの反射特性と同等となり、さらに、１つのエラー訂正ブロック内に設けられる上記追記領域の数は、当該追記パタン部分を復調することにより得られる情報ビット列が全て誤りであったとしても、この誤りが上記誤り訂正符号により消滅する範囲であることを特徴とする。
【手続補正３】
【補正対象書類名】明細書
【補正対象項目名】００２６
【補正方法】変更
【補正の内容】
【００２６】
本発明に係る識別情報管理方法は、所定量の情報とその所定量の情報に対する誤り訂正符号とからなるエラー訂正ブロックによりデータを管理する論理フォーマットが採用され、且つ、情報ビット列に対して所定の変調を行うことにより生成された変調後ビット列に対応して記録トラックに凸部（ランド）と凹部（ピット）を形成する物理フォーマットが採用された再生専用の光記録媒体に対して、記録トラック中に当該光記録媒体の識別情報を記録するための管理方法であって、記録トラック上の所定の複数の位置に、所定の追記パタンが形成された追記領域を設定し、上記追記領域内に形成された上記追記パタンを、ピット−ランド−ピットの形状とし、上記ピット−ランド−ピットの追記パタンの前後の変調後ビット列を、当該ピット−ランド−ピットの追記パタンの部分が、全てピットで構成されたパタンに置き換わったときにも、変調後ビット列の全体が変調の規則に従うように生成し、上記ピット−ランド−ピットの追記パタンの真ん中のランドを、再生のためのレーザパワーで照射しても物質的に変化はしないが、再生のためのレーザパワーよりも大きいパワーのレーザ光を照射すると、ピットの反射特性と同等となるような材料とし、上記所定の複数の位置に設定されている追記領域に、上記ピット−ランド−ピットの追記パタンが存在するか、その部分に全てピットで構成されたパタンが存在するかによって識別されるビット値により表された識別情報を、再生のためのレーザパワーよりも大きいパワーのレーザ光を照射することにより記録し、さらに、１つのエラー訂正ブロック内に設けられる上記追記領域の数を、当該追記パタン部分を復調することにより得られる情報ビット列が全て誤りであったとしても、この誤りが上記誤り訂正符号により消滅する範囲とすることを特徴とする。
【手続補正４】
【補正対象書類名】明細書
【補正対象項目名】００２７
【補正方法】変更
【補正の内容】
【００２７】
本発明では、光記録媒体の記録トラック中の複数の所定の領域に、ピット−ランド−ピットの形状とされた追記パタンを形成する。追記パタンの前後の変調後ビット列は、当該ピット−ランド−ピットの追記パタンの部分が、全てピットで構成されたパタンに置き換わったときにも、変調後ビット列の全体が変調の規則に従うように生成されており、追記パタンの真ん中のランドは、再生のためのレーザパワーで照射しても物質的に変化はしないが、再生のためのレーザパワーよりも大きいパワーのレーザ光を照射すると、ピットの反射特性と同等とされている。